(57)【特許請求の範囲】
【請求項１】
引出し底部（２２）を備えた引出し（３）と引出し延出ガイド（４）とを有する構造物であって、
前記引出し延出ガイド（４）は、家具枠体（２）に固定される枠体レール（５）と、前記引出し（３）に固定され、かつ、前記枠体レール（５）に対して移動可能に取り付けられる引出しレール（６）と、前記引出しレール（６）に配置され、かつ、前記引出し（３）が前記引出しレール（６）に対して解除可能にロックできるロック装置（７）と、を有しており、
前記ロック装置（７）は、前記引出し（３）をロックする拘束位置と前記引出し（３）を解除する解除位置との間で把持要素（９）によって可動に取り付けられる少なくとも一つのラッチ部分（８）を有しており、
搬送レール（１２）は前記引出し底部（２２）に予め取り付けられており、前記搬送レール（１２）は前記搬送レール（１２）の長手方向に対して垂直下方に延出する２本の肢部（１９ａ、１９ｂ）を備えた断面がＵ形状の部分を有しており、取り付け位置における前記搬送レール（１２）のＵ形状部分は上方から前記引出しレール（６）を包囲し、前記ロック装置（７）の前記ラッチ部分（８）は前記搬送レール（１２）の前記垂直な２本の肢部（１９ａ、１９ｂ）の一方に解除可能にラッチ留め可能であることを特徴とする構造物。
【請求項２】
前記ロック装置（７）は、前記引出しレール（６）の前方端領域に配置されていることを特徴とする請求項１記載の構造物。
【請求項３】
前記把持要素（９）は、前記引出しレール（６）に対して旋回可能に取り付けられていることを特徴とする請求項１又は２記載の構造物。
【請求項４】
前記把持要素（９）は、前記引出しレール（６）の側面に沿って配置されていることを特徴とする請求項１から３のいずれか１項に記載の構造物。
【請求項５】
前記把持要素（９）は弾性であり、前記引出しレール（６）から傾斜して突出していることを特徴とする請求項１から４のいずれか１項に記載の構造物。
【請求項６】
前記把持要素（９）は、前記ラッチ部分（８）と一体型に形成されていることを特徴とする請求項１から５のいずれか１項に記載の構造物。
【請求項７】
前記ロック装置（７）は、前記引出し（３）をその取り付け時に、前記引出しレール（６）に対して横方向にガイドできる少なくとも一つの傾斜した導入部分を有することを特徴とする請求項１から６のいずれか１項に記載の構造物。
【請求項８】
前記ラッチ部分（８）は、前記引出し（３）をロックする拘束位置にて前記搬送レール（１２）の凹部又はラッチ縁部（１４）と協働する少なくとも一つのラッチ（１３）を有することを特徴とする請求項１から７のいずれか１項に記載の構造物。
【請求項９】
前記ラッチ部分（８）は前記引出しレール（６）の長手方向で互いにオフセット状態で配置された少なくとも２つのラッチ（１３）を有しており、前記ラッチ（１３）によって前記引出し（３）は、少なくとも２つの所定の深さ位置（Δｘ１、Δｘ２）にて前記引出しレール（６）に対して解除可能にラッチ留め可能であること特徴とする請求項８記載の構造物。
【請求項１０】
前記ロック装置（７）は、前記引出しレール（６）に対し、取り付け位置において、前記引出し（３）の前端領域の上昇を防止する上昇防止手段（１０）を有することを特徴とする請求項１から９のいずれか１項に記載の構造物。
【請求項１１】
前記上昇防止手段（１０）は、前記ロック装置（７）に配置され、かつ、前記引出し（３）に接続されたピン（２０）を受け入れるために提供される挿入開口部（１０ａ）を有することを特徴とする請求項１０記載の構造物。
【請求項１２】
前記ロック装置（７）は、前記引出し（６）の閉端位置で前記枠体レール（５）に当接する支持部（２４）を有していることを特徴とする請求項１から１１のいずれか１項に記載の構造物。
【請求項１３】
前記支持部（２４）は弾性形態であり、前記引出し（３）はその閉端位置にて、前記家具枠体（２）の方向に、前記支持部（２４）の弾性作用に対抗して可動であることを特徴とする請求項１２に記載の構造物。
【請求項１４】
前記ロック装置（７）は、本体部（１５）を有しており、前記本体部（１５）は、前記本体部（１５）に配置されると共に、前記ラッチ部分（８）のスライド要素（３１）がスライド式に支持されるガイド（１８）を備えていることを特徴とする請求項１から１３のいずれか１項に記載の構造物。
【請求項１５】
前記ロック装置（７）は、全体がプラスチック製で一体型に製造されていることを特徴とする請求項１から１４のいずれか１項に記載の構造物。
【発明の詳細な説明】
【技術分野】
【０００１】
本発明は、引出しと引出し延出ガイドとを有する構造物に関する。引出し延出ガイドは家具枠体に固定される枠体レールと、引出しに固定され、枠体レールに対して移動可能に取り付けられる引出しレールと、引出しレールに配置されており、引出しが引出しレールに対して解除可能にロックできるロック装置とを有しており、ロック装置は、引出しをロックする拘束位置と引出しを解除する解除位置との間の把持要素によって可動に取り付けられる、少なくとも一つのラッチ部分を有している。
【０００２】
本発明はさらに、引出しと、ここで解説するような引出し延出ガイドとを有する構造物にも関する。
【背景技術】
【０００３】
従来技術によるロック装置は知られており、ロック装置によって引出しは工具を使用せずに、全体的に引出し延出ガイドの引出しレールに装着でき、あるいは、例えば清掃の目的で、引出しを引出し延出ガイドから完全に取り外して再びそこに固定するために、取り外すことができる。この場合には、引出し延出ガイドは家具に予め取り付けられており、そこに取り付ける引出しが引出しレールに配置され、閉位置にある引出しレールとラッチ部分とが自動的にラッチ留めされるまで後方に押し込まれる。
【０００４】
そのような固定オプションの例は、本件出願人の、ＥＰ０４２１４５８Ｂ１及びＤＥ２０２００７００６５４９Ｕ１にて解説されている。これらのケースでは、ラッチ留めは、その移動受面が引出しレールの凹部に連続的にラッチ留めさせる弾性ラッチ部分によって実行され、引出しと引出しレールとの間の遊びを安定的に減少させて自動的ラッチ留めを実行させる。
【０００５】
これらのロック装置は通常は引出し底部の下側に配置されており、引出し底部及び／又は引出し前方パネルにネジ留めされている。ロック装置の取り付けは、取り付け位置におけるラッチ部分の位置が引出しレールの凹部又はラッチ縁部と正確に合致するよう、正確な位置にて実行される必要がある。したがって、有資格者や適切な注意がそのような装着工程には必要である。
【０００６】
引出し延出ガイドの引出しレールに配置されるロック装置は、ＡＴ４０１００１Ｂ、ＤＥ１９８２８７１８Ａ１、ＤＥ１００２２０８４、ＷＯ９５／０２３４９、ＤＥ９２０４８４６Ｕ１、ＥＰ２２４５９６３Ａ１、及びＵＳ２００９／０２１２６７９Ａ１にて例示されている。これらの構造では、まず引出しは追加的に加工（例えば引出し側壁に凹部を設ける）されなければならず、またラッチ部分は引出しの荷重によって相当に荷重され、よって人手によるロックやロック解除をさらに困難にしている。
【先行技術文献】
【特許文献】
【０００７】
【特許文献１】ＥＰ０４２１４５８Ｂ１公報
【特許文献２】ＤＥ２０２００７００６５４９Ｕ１公報
【特許文献３】ＡＴ４０１００１Ｂ公報
【特許文献４】ＤＥ１９８２８７１８Ａ１公報
【特許文献５】ＤＥ１００２２０８４公報
【特許文献６】ＷＯ９５／０２３４９公報
【特許文献７】ＤＥ９２０４８４６Ｕ１公報
【特許文献８】ＥＰ２２４５９６３Ａ１公報
【特許文献９】ＵＳ２００９／０２１２６７９Ａ１公報
【発明の概要】
【発明が解決しようとする課題】
【０００８】
したがって本発明の目的は、本明細書の当初部分で述べたような、引出し延出ガイドに対する引出しの取り付けが容易となるよう、前述の欠点を回避する構造物の開発である。
【課題を解決するための手段】
【０００９】
本発明によれば、これは請求項１の特徴によって達成される。本発明のさらなる有利な形態は従属請求項にて述べられている。
【００１０】
本発明によれば、引出しに搬送レールが予め取り付けられており、搬送レールは２本の垂直に延出する肢部（突出部）を備えた断面がＵ形状の部分を有しており、取り付け位置における搬送レールのその部分は上方から引出しレールを包囲し、ロック装置のラッチ部分は搬送レールの肢部に解除可能にラッチ留めできる。
【００１１】
引出しに搬送レールを装着することによって、搬送レールは取り付け工程において先ず引出しレールの長手方向に正確にガイドされ、２本の垂直延出肢部が引出しを横方向（側方）にガイドする。搬送レールの垂直延出肢部へのラッチ部分のラッチ留めで、ラッチ部分は引出しの荷重から解放され、さらにその荷重状態から独立して解放されることができ、よってラッチ部分のロック及びロック解除が実質的には力を必要とせずに実行される。引出しの荷重からラッチ部分を解放することで、ロック装置を破損するリスクも実質的に低減できる。
【００１２】
ロックユニットの関連する機能部分を現場で引出しにネジ留めする必要がないよう、引出しレールには工場でロック装置を取り付けることもできる。引出し延出ガイドとロック装置とをセットとして提供することも可能であり、ロック装置は、例えばスナップ式接続によって、後付け構造ユニットとして引出しレールに取り付けることができる。したがって引出しが取り付け位置でロック装置のラッチ部分と協働する凹部又はラッチ縁部を有すれば十分である。このようにすれば、別々に装着される現場での部品を完全に排除することが可能である。
【００１３】
１好適実施態様では、ロック装置は引出しレールの前方端領域に取り付けられる。
【００１４】
１実施態様では、把持要素を引出しレールに対して旋回式に取り付けることができる。把持要素は直線状に移動可能なスライダの形態であることも可能である。人手での作動のために容易に到達できるよう、把持要素を引出しレールに横方向に（側方に）取り付けることができる。把持要素を弾性とすることができ、載置位置で引出しレールから傾斜して突出させることができる。
【００１５】
コンパクトな構造を達成するため、把持要素をラッチ部分と一体型に提供できる。
【００１６】
別な実施態様では、ロック装置は、引出しをその取り付けにおいて引出しレールに対して横方向にガイドできる少なくとも一つの傾斜した導入部分を有することができる。このように、一方では、引出しレールに対する引出しの正確な横方向（側方）配置が可能であり、また他方では、この導入補助構造は、引出し側壁の外側が、引出しの装着時に家具枠体の側壁に固定される枠体レールの金属製取付フランジへの接触を防止する。さらに詳細に説明すれば、引出し側壁がデリケートな表面を有する場合、取付フランジに対してスライドすることで損傷を受けることがあり、これは傾斜導入部分によって効果的に防止される。
【００１７】
ラッチ部分を弾性にするか、又はバネ式とすることができる。この場合には、引出しに対するラッチ部分の自動ラッチ留めが可能である。ラッチ部分は、引出しをロックする拘束位置で、引出しに予め取り付けられた搬送レールの凹部又はラッチ縁部と協働する少なくとも一つのラッチを有することができる。このラッチ部分は、ラッチ部分の弾性作用に対抗する把持要素の人手による作用によって拘束位置から外れることができ、それによって引出しは引出しレールから解放される。
【００１８】
１実施態様では、ロック装置全体は一体型のプラスチック製であり、この場合には、射出成型工程を用いた安価な製造が可能である。
【００１９】
さらなる詳細や利点は、以降の詳細な説明から明らかになるであろう。
【図面の簡単な説明】
【００２０】
【図１】図１は、家具枠体と移動可能な引出しとを有する家具の斜視図である。
【図２】図２は、引出し延出ガイドの斜視図である。
【図３】図３は、ロック装置を備えた引出し延出ガイドと中央レールを備えた引出し側壁の分解図である。
【図４ａ】図４ａは、ロック装置の斜視図である。
【図４ｂ】図４ｂは、ロック装置の平面図である。
【図５ａ】図５ａは、ロック装置を備えた引出しレールの前方端領域を示している。
【図５ｂ】図５ｂは、ロック装置、及びそれに連結された搬送レールを備えた引出しレールの前方端領域を示している。
【図６】図６は、引出しレールへの搬送レールの取り付けを示している。
【図７ａ】図７ａは、引出しレールに対してラッチ位置にある搬送レールを示している。
【図７ｂ】図７ｂは、引出しレールに対してラッチ位置にある搬送レールを示している。
【図７ｃ】図７ｃは、引出しレールに対してラッチ位置にある搬送レールを示している。
【図８】図８は、引出し延出ガイドの前方端領域、及びそれに接続される搬送レールの上方斜視図である。
【図９】図９は、前方引出し部分と内側引出し部分とを有する家具の斜視図である。
【図１０】図１０は、予め取り付けられた搬送レールを備えた引出しの斜視図である。
【図１１ａ】図１１ａは、引出し延出ガイドの前方端領域の下方斜視図である。
【図１１ｂ】図１１ｂは、引出し延出ガイドの前方端領域の拡大詳細図である。
【発明を実施するための形態】
【００２１】
図１は、家具枠体２に対して移動可能に取り付けられた引出し３を備えたキャビネット形態の家具を示している。家具枠体２の両側壁にはそれぞれ、家具枠体２に固定される枠体レール５と、枠体レール５に対して移動可能な引出しレール６とを有する引出し延出ガイド４が取り付けられている。全体的な引出し延出構造物を提供するため、移動可能に取り付けられる中央レールを静止状態の枠体レール５と延出可能な引出しレール６との間に提供することもできる。引出しレール６に対して引出し３を固定するため、本発明によれば引出しレール６の前方端領域に取り付けられるロック装置７が提供されている。引出し３を固定するため、ロック装置７はラッチ部分８を有しており、把持要素９はロック作用を解除するために提供されている。
【００２２】
図２は、引出し延出ガイド４の斜視図である。枠体レール５は家具枠体２に固定され、引出しレール６に取り付けられるロック装置７は引出し３への解除可能な接続のために提供されている。ロック装置７は引出しレール６の前方終点部を形成しており、よって引出し延出ガイド４のデリケートな移動制御手段（走行キャリッジ、キャリッジ制御手段、回転体など）は埃が進入しないように保護されている。引出し３をロックするため、ロック装置７は手動の把持要素９によって、引出し３をロックする拘束位置と引出し３を解除する解除位置との間で可動に取り付けられたラッチ部分８を有している。ロック装置７は、引出し３に接続されたピンの挿入のために用意された挿入開口部１０ａを有する上昇防止手段をさらに含んでいる。上昇防止手段１０は取り付け位置において、引出しレール６に対する引出し３の前方端領域の望まない上昇移動を防止する。
【００２３】
図３は、引出し延出ガイド４、ロック装置７、及び搬送レール１２を備えた引出し側壁１１の分解図であり、搬送レール１２は引出し底部のための支持部として提供されている。ロック装置７は全体的に一体型に射出成型されたプラスチック製であり、引出しレール６の前方端領域に嵌め合いされる。搬送レール１２の断面は、取り付け位置において引出しレール６を上方から包囲するＵ形状を形成している。ロック装置７のラッチ部分８には、引出し３を拘束する拘束位置にて搬送レール１２の凹部又はラッチ縁部１４と協働する少なくとも一つのラッチ１３が提供されている。図示の実施例では、ラッチ部分８は、引出しレール６の長手方向に移動され、搬送レール１２の長手方向に移動される複数のラッチ縁部１４と協働できる複数のラッチ１３を有している。このように引出し３は、引出しレール６に対する複数の所定のラッチ位置にて搬送レール１２によって解除可能にラッチ留めできる。
【００２４】
図４ａは、引出しレール６に固定されるロック装置７の斜視図である。ロック装置７は、把持要素９と、ラッチ１３を備えたラッチ部分８と、を含んだ本体部１５を有している。上昇防止手段１０は、底部の境界は本体部１５で定められ、上部の境界は水平延出脚部１６で定められる挿入開口部１０ａを含んでおり、挿入開口部１０ａは、脚部１６がその取り付け位置においてピンの上昇（よって引出し３の上昇）を防止するよう、ピン（好適には搬送レール１２上に配置されている）の挿入のために提供されている。ロック装置７は、搬送レール１２（及び引出し３）が取り付け工程において引出しレール６に対して横方向にガイドされるよう、少なくとも一つの傾斜導入部分３０ａを有している。ロック装置７は引出し３の支持部分３３と共に上側に提供されており、よって引出し３は引出しレール６の全長に渡っては載置されない。引出し３がそれ自体は知られた調節装置によって、高さ方向にてその後側で移動されると、支持部分３３は同時に引出し３の旋回軸として作用し、引出し３の後側での高さ調節が、引出し３の前方領域（よってその傾斜調節のための前方パネル）を、引出しレール６の長手方向に対して横断するように延出する支持部分３３の周囲で旋回又は傾斜させることができるようにも提供できる。
【００２５】
図４ｂは、ロック装置７の平面図であり、把持要素９（及びラッチ部分８）は、垂直方向に延出する概念上の軸（Ａ）周囲で旋回又は屈曲できる。引出し３を解除するため、把持要素９は軸（Ａ）周囲で本体部１５側の矢印によって示された方向に旋回され、それによってラッチ部分８は解除位置へと移動し、このようにして引出し３は引出しレール６に対して解放される。ラッチ部分８のガイド性の向上及び支持向上のため、本体部１５の静止ガイド１８にてスライド式に支持できるスライド要素３１が提供されている。ガイド１８上でのスライド要素３１の支持は、取り付けられた引出し３が延出方向３４に人手で引っ張られるとき、その作用力は旋回軸（Ａ）には作用せず、作用力の流れが本体部１５と引出しレール６の方向に変更され、よって旋回軸（Ａ）の領域でのロック装置７の破損リスクが大幅に低減される、という利点も有する。本体部１５の両側には、取り付け時に引出し３を横方向にガイドする傾斜導入部分３０ａと３０ｂが提供されている。
【００２６】
図５ａは、引出し延出ガイド４の前方領域の斜視図であり、ロック装置７は引出しレール６の前方端に取り付けられている。搬送レール１２は、引出しレール６の長手方向にオフセット状態（ずらして）で配置されたラッチ１３によって、引出しレール６に対して異なる深さ（奥行き）位置にて固定できる。
【００２７】
図５ｂは、引出し延出ガイド４の前方端領域の斜視図であり、引出し３に予め取り付けられた搬送レール１２はロック装置７によって引出しレール６に接続されている。図５ａに示すラッチ１３は拘束位置において搬送レール１２のラッチ縁部１４と協働している。搬送レール１２と引出しレール６との間のロック作用は、把持要素９に対して引出しレール６の方向に手動で圧力を適用することで再び解除できる。
【００２８】
図６は、枠体レール５と引出しレール６とを備えた引出し延出ガイド４を下方から見た図であり、引出し３に接続された搬送レール１２の取り付け状態を示している。搬送レール１２は２本の垂直方向に延出する肢部１９ａと１９ｂとを有しており、肢部１９ａ上のラッチ縁部１４は、他方の肢部１９ｂ側の方向に横方向に突出している。搬送レール１２の垂直に延出する肢部１９ａは傾斜導入部分３０ａによって、その取り付け時に横方向に曲げられる。このように、他方の肢部１９ｂは、引出し３の取り付け時に引出し側壁１１（図３）が、家具枠体２に固定される枠体レール５の取り付けフランジ５ａと接触できないよう、枠体レール５の取り付けフランジ５ａに対して横方向にスペースを有して移動できる。したがって、引出し側壁１１の外面への損傷を回避させることができる。
【００２９】
図７ａから図７ｃは、それに接続された中央レール１２を備えた引出し延出ガイド４を下方から見た図をそれぞれ示しており、搬送レール１２は引出しレール６に対して様々なラッチ位置にて固定されている。図７ａは、引出しレール６に対する搬送レール１２の第１深さ位置（Δｘ１）を示しており、ロック装置７のラッチ１３は第１の相対的位置にて搬送レール１２のラッチ縁部１４と協働している。図７ｂは、引出しレール６に対する、搬送レール１２（及び引出し３）の第２の深さ位置（Δｘ２）を示しており、図７ｃは、引出しレール６に対する引出し３の第３の深さ位置を示しており、搬送レール１２と枠体レール５は互いに実質的に整合している。これらの様々なラッチ位置は、搬送レール１２（及び引出し３）を引出しレール６に、発生する許容誤差を補償するよう出来るだけ少ない遊びで接続する役割を果たしている。搬送レール１２と引出しレール６との間のラッチ作用は、把持要素９に手動で圧力を適用することで再び解除できる。
【００３０】
図８は、枠体レール５を備えた引出し延出ガイド４の前方領域、及びそれに接続された引出しレール６とロック装置７の上方斜視図である。上昇防止手段１０は、搬送レール１２上のピン２０が高さ方向で移動するのを防止する脚部１６を含んでおり、したがって引出し３の前方領域は取り付け位置では引出しレール６から持ち上げられない。
【００３１】
図９は、家具枠体２と移動可能な引出し３とを有する家具１の斜視図である。前方パネルを備えた引出し３と、いわゆる内側引出し２１とは、前述のロック装置７によって、引出し延出ガイド４の引出しレール６に対して固定できる。内側引出し２１は家具枠体２の前面には当接しないが、家具枠体の２枚の側壁間で閉位置に配置された前方壁２３を有している。家具枠体２の前面に対する内側引出し２１の定位置を提供するため、ロック装置７は、図１１ａと図１１ｂにて示され解説されている支持部２４、好適には弾性の支持部２４を有している。
【００３２】
図１０は、引出し３の斜視図であり、それぞれの搬送レール１２は引出し３の２つの横方向端領域に予め取り付けられている。搬送レール１２は、側壁１１と引出し底部２２にそれぞれ接続されている。搬送レール１２の２本の垂直に延出する肢部１９ａと１９ｂとが図示されており、ロック装置７は、搬送レール１２の肢部１９ａに対して解除可能にラッチ留めすることができる。
【００３３】
図１１ａは、引出し延出ガイド４の前方領域の下方斜視図であり、ロック装置７のラッチ１３は搬送レール１２のラッチ縁部１４（ここでは図示せず）と協働している。ロック装置７は、引出しレール６の閉位置で枠体レール５の前方に当接する弾性支持部２４をさらに含んでいる。これは、その前壁２３が家具枠体２の前面に当接できない内側引出し２１（図９）が、家具枠体２の前面に対して定まった閉位置をとるため特に有利である。図１１ｂは、図１１ａの丸で囲んだ領域の拡大図であり、ロック装置７の支持部２４は枠体レール５の屈曲脚部３２と当接している。支持部２４の別な機能は、その閉端位置にて、引出し３が家具枠体２の方向に支持部２４の作用に対抗して可動なことである。換言すれば、弾性支持部２４によって、閉位置の引出し３は所定距離分（例えば約０．５ｍｍ）押し込まれることができ、この場合には、解除ストローク動作が排出装置（ここでは図示せず）によって（特にタッチラッチ部品によって）検知され、よって引出し３は閉端位置から開位置へと排出装置によって排出され得る。これら、それ自体は知られたタッチラッチ部品は、特に、引出し３の前方パネルが（例えば美観の目的で）取手部を有していない場合、又は図９に示すような内側引出し２１と組み合わされる場合に、利用できる。
【００３４】
本発明は解説した実施例に限定されず、添付の「請求の範囲」内の全ての変形例や技術的均等物を含んでいる。上、下、横などの解説において採用された位置的関係は直接解説した図に関したものであり、適宜変更されるべきものである。引出しレール６に対して引出し３を解除可能に拘束するためのロック装置７は、引出しレール６に対してロック関係で旋回できるラッチ部分８を有することができ、このロック係合は、引出しレール６と協働する、歯止め、歯状突起部、フック又はかぎ爪を備えたラッチ部分８によって形成でき、ラッチ部分８は、バネ力、特にその弾力性によって、引出しレール６に対して引出し３の固定位置にて係合位置に保持される。
【図１】
0005855740.tif 000002
【図２】
0005855740.tif 000003
【図３】
0005855740.tif 000004
【図４ａ】
0005855740.tif 000005
【図４ｂ】
0005855740.tif 000006
【図５ａ】
0005855740.tif 000007
【図５ｂ】
0005855740.tif 000008
【図６】
0005855740.tif 000009
【図７ａ】
0005855740.tif 000010
【図７ｂ】
0005855740.tif 000011
【図７ｃ】
0005855740.tif 000012
【図８】
0005855740.tif 000013
【図９】
0005855740.tif 000014
【図１０】
0005855740.tif 000015
【図１１ａ】
0005855740.tif 000016
【図１１ｂ】
0005855740.tif 000017